(57)【要約】【課題】本発明は、写真プリントサービスにおいて簡便・確実に照合を行うことができ、かつ照合ミスを防止することができる写真プリント、写真の照合方法、及び写真の照合システムを提供することを課題とする。【解決手段】焼増しプリント１３の表面に形成されたプリント画像１３ａ内には、その納品先としての写真店３又は顧客１を確認するための注文ＩＤ４ａが電子透かしにより埋め込まれている。その焼増しプリント１３の表面からプリント画像１３ａを読み取り、読み取られたプリント画像１３ａ内から注文ＩＤ４ａを抽出し、抽出された注文ＩＤ４ａに基づいて、焼増しプリント１３の納品先としての写真店３又は顧客１を確認する。【選択図】　図２
2004126978.tif 000002
【特許請求の範囲】
【請求項１】
表面に形成されたプリント画像内に、その納品先を確認するための照合情報が肉眼で認識不可能に付与されていることを特徴とする写真プリント。
【請求項２】
前記照合情報が、電子透かしによって前記プリント画像内に埋め込まれたものであることを特徴とする請求項１に記載の写真プリント。
【請求項３】
前記照合情報が、写真注文を管理するために該写真注文１件ごとに対応して付与された注文ＩＤであることを特徴とする請求項１又は請求項２のいずれかに記載の写真プリント。
【請求項４】
表面に形成されたプリント画像内に、その納品先を確認するための照合情報が肉眼で認識不可能に付与された写真プリントの前記表面から前記プリント画像を読み取り、
該読み取られたプリント画像内から前記照合情報を抽出し、
該抽出された照合情報に基づいて、前記写真プリントの納品先を確認することを特徴とする写真の照合方法。
【請求項５】
前記照合情報が、電子透かしによって前記プリント画像内に埋め込まれたものであることを特徴とする請求項４に記載の写真の照合方法。
【請求項６】
前記照合情報が、写真注文を管理するために該写真注文１件ごとに対応して付与された注文ＩＤであることを特徴とする請求項４又は請求項５のいずれかに記載の写真の照合方法。
【請求項７】
表面に形成されたプリント画像内に、その納品先を確認するための照合情報が肉眼で認識不可能に付与された写真プリントの前記表面から前記プリント画像を読み取るプリント画像読取手段と、
該読み取られたプリント画像内から前記照合情報を抽出する照合情報抽出手段と、
該抽出された照合情報に基づいて、前記写真プリントの納品先を確認して該納品先ごとに仕分ける照合手段とを備えたことを特徴とする写真の照合システム。
【請求項８】
前記照合情報が、電子透かしによって前記プリント画像内に埋め込まれたものであることを特徴とする請求項７に記載の写真の照合システム。
【請求項９】
前記照合情報が、写真注文を管理するために該写真注文１件ごとに対応して付与された注文ＩＤであることを特徴とする請求項７又は請求項８のいずれかに記載の写真の照合システム。
【発明の詳細な説明】
【０００１】
【発明の属する技術分野】
本発明は、撮影画像内に写真注文情報が含まれた写真プリント、その写真プリントを用いた写真の照合方法及び写真の照合システムに関する。
【０００２】
【従来の技術】
従来から大ラボ等の写真現像所では、撮影者によって持ち込まれたネガに写し込まれたコマ画像から写真プリントを作成する写真プリントサービスが行われている。最近では、デジタルカメラで撮影された撮影画像のデジタル画像データが持ち込まれ、そのデジタル画像データから写真プリントを作成する写真プリントサービスも行われている。
【０００３】
ネガが持ち込まれた場合、大ラボではネガスキャナを用いて現像済みネガからコマ画像のデジタル画像データを生成する。そのデジタル画像データに基づいて、デジタル写真プリンタによって印画紙表面に露光を行い、写真プリントを作成する。デジタル画像データが持ち込まれた場合は、そのデジタル画像データに基づいてデジタル写真プリンタによって印画紙表面に露光を行い、写真プリントを作成する。
【０００４】
近年では印画紙表面に画像を露光した写真プリント（ペーパープリント）のみならず、ポストカード・シールプリント・写真入りテレフォンカード・写真入りマグカップ等、様々なバリエーションプリント製品が提供されている。これらは、それぞれの製品に対応した写真プリンタ等の機器を用いて生産される。
【０００５】
例えば、ある顧客が写真店にネガを持ち込んで、プリントするコマを指定して焼増しプリントやポストカード・シールプリント・写真入りテレフォンカード等の上記バリエーションプリント製品の作成を注文した場合、注文袋としてのＤＰ袋にその注文内容が記載されるとともにネガが挿入されて、写真店から大ラボに持ち込まれる。
【０００６】
大ラボでは、持ち込まれたＤＰ袋からネガが取り出され、そのネガとＤＰ袋とにそれぞれ照合のためのチェックテープが貼り付けられる。チェックテープにはそれぞれ同じ番号（チェックテープナンバー）が記載されている。そしてＤＰ袋に記載された注文内容に基づきつつ、ネガスキャンを行って指定コマのコマ画像（以下、原画像という。）のデジタル画像データを生成し、そのデジタル画像データを用いて写真プリント（焼増しプリントやポストカード・シールプリント・写真入りテレフォンカード）を作成する。写真プリントの作成が終了すると、ＤＰ袋とネガと作成された写真プリントとを照合し、そのネガと写真プリントがその顧客の注文に対応するものであることを確認して大ラボから写真店に向けて出荷する。顧客は写真店を通じて現像済みネガと注文内容に基づいて作成された写真プリントとを受け取る。
【０００７】
その照合は以下のようにして行う。すなわち、ネガに貼り付けられたチェックテープナンバーとＤＰ袋に貼り付けられたチェックテープナンバーとが同じかどうかを確認して、ＤＰ袋とネガとの照合を行う。また、ネガの原画像と写真プリントの画像（以下、プリント画像という）とが同じ画像であるかどうかをいわゆる画合わせにより目視確認し、ネガと写真プリントとの照合を行う。
【０００８】
そして、ネガの原画像と写真プリントのプリント画像とが同じ画像であり、ネガとＤＰ袋のチェックテープナンバーが同じであり、かつ、作成された写真プリントがＤＰ袋に記載された注文内容に基づいたものである場合に、注文通りであると判断してそのＤＰ袋にネガと写真プリントとを入れて納品先としての写真店に出荷する（例えば、特許文献１参照。）。
【０００９】
なお、上記のように写真店への出荷直前にネガと写真プリントとの照合とともにネガとＤＰ袋との照合を行ってもよいし、ネガスキャンの直後にネガとＤＰ袋との照合を先に行って、ネガをＤＰ袋内に挿入しておいてもよい。
【００１０】
【特許文献１】
特開平０６−０４３６２２号公報
【００１１】
【発明が解決しようとする課題】
しかしながら、上記の画合わせによる照合を行うには、ネガ上の小サイズでかつ色反転した原画像とプリント画像とをいちいち見比べなければならず、その作業工程が大変面倒であるという問題がある。異なる顧客からの注文であっても原画像が似ている場合には画像の判別が困難となり、写真プリントとの照合ミスが発生してしまう可能性がある。
【００１２】
さらに１件の写真注文内で複数種の写真プリント製品の作成が注文されたような場合には、ネガ上の原画像とそれぞれの写真プリント製品のプリント画像とを全て照合する必要があり、作業工程の煩雑さと照合ミス発生の可能性の問題はより一層深刻なものとなる。
【００１３】
写真プリントとネガとの照合をより簡便・確実に行うために、写真プリント表面の画像枠外部分や裏面に写真注文を管理するための注文ＩＤを印字して、その注文ＩＤとＤＰ袋に予め記載された注文ＩＤとを照合する場合もある。
【００１４】
しかしながら、写真プリントの表面画像枠外部分に注文ＩＤを印字する方法は、印画紙全面に画像を露光する写真プリント（フチなしプリント）には用いることができないという問題がある。画像枠外部分がある写真プリント（フチありプリント）の場合であっても、その枠外部分に注文ＩＤを印字することは写真プリントの商品価値の面から好ましいとは言えない。
【００１５】
また、写真プリントの裏面に注文ＩＤを印字する方法は、例えばポストカード等のように薄手の専用印画紙の裏面にハガキを貼り付けるような製品においては、ハガキを貼り付けた後にその注文ＩＤが確認できなくなってしまうという問題がある。
【００１６】
本発明は上記の事情に鑑みて為されたもので、写真プリントサービスにおいて簡便・確実に照合を行うことができ、かつ照合ミスを防止することができる写真プリント、写真の照合方法、及び写真の照合システムを提供することを課題とする。
【００１７】
【課題を解決するための手段】
上記の課題を解決するために、本願の請求項１に記載の写真プリントは、表面に形成されたプリント画像内に、その納品先を確認するための照合情報が肉眼で認識不可能に付与されていることを特徴とする。
【００１８】
請求項２に記載の写真プリントは、請求項１に記載の写真プリントにおいて、照合情報が、電子透かしによってプリント画像内に埋め込まれたものであることを特徴とする。
【００１９】
請求項３に記載の写真プリントは、請求項１又は請求項２のいずれかに記載の写真プリントにおいて、照合情報が、写真注文を管理するために写真注文１件ごとに対応して付与された注文ＩＤであることを特徴とする。
【００２０】
請求項４に記載の写真の照合方法は、表面に形成されたプリント画像内に、その納品先を確認するための照合情報が肉眼で認識不可能に付与された写真プリントの表面からプリント画像を読み取り、読み取られたプリント画像内から照合情報を抽出し、抽出された照合情報に基づいて、写真プリントの納品先を確認することを特徴とする。
【００２１】
請求項５に記載の写真の照合方法は、請求項４に記載の写真の照合方法において、照合情報が、電子透かしによってプリント画像内に埋め込まれたものであることを特徴とする。
【００２２】
請求項６に記載の写真の照合方法は、請求項４又は請求項５のいずれかに記載の写真の照合方法において、照合情報が、写真注文を管理するために写真注文１件ごとに対応して付与された注文ＩＤであることを特徴とする。
【００２３】
請求項７に記載の写真の照合システムは、表面に形成されたプリント画像内に、その納品先を確認するための照合情報が肉眼で認識不可能に付与された写真プリントの表面からプリント画像を読み取るプリント画像読取手段と、読み取られたプリント画像内から照合情報を抽出する照合情報抽出手段と、抽出された照合情報に基づいて、写真プリントの納品先を確認して納品先ごとに仕分ける照合手段とを備えたことを特徴とする。
【００２４】
請求項８に記載の写真の照合システムは、請求項７に記載の写真の照合システムにおいて、照合情報が、電子透かしによってプリント画像内に埋め込まれたものであることを特徴とする。
【００２５】
請求項９に記載の写真の照合システムは、請求項７又は請求項８のいずれかに記載の写真の照合システムにおいて、照合情報が、写真注文を管理するために写真注文１件ごとに対応して付与された注文ＩＤであることを特徴とする。
【００２６】
【発明の実施の形態】
以下、本発明を図面に基づいて説明する。図１は、本発明の実施の形態に係る写真の照合方法を用いた写真プリントサービスの工程を説明するブロック図であり、図２はその工程を説明するフローチャートである。本実施の形態においては、顧客が写真店に現像済みのネガを持ち込み、プリントするコマを指定してその指定コマの焼増しとその指定コマ画像を用いたポストカードの作成とを注文した場合を説明する。
【００２７】
顧客１がネガ２を写真店３に持ち込み、プリントするコマを指定して写真プリントサービス（焼増し及びポストカード作成）の注文を行うと、写真店３においてその注文内容が注文袋としてのＤＰ袋５に記載される。指定コマのコマ画像とテンプレート画像との合成画像によるポストカードの作成を希望する場合は、顧客１は、予め用意されたテンプレート画像の中から好みのテンプレート画像をこの写真注文時に選択しておく。
【００２８】
ＤＰ袋５には、写真注文を管理するために写真注文１件ごとに対応して付与された１３桁の注文ＩＤ４ａが予め印刷されている。この注文ＩＤ４ａはＤＰ袋ごとに異なる番号となっている。ネガ２はＤＰ袋５内に挿入され、プリント事業者としての大ラボ（写真現像所）６に持ち込まれる。
【００２９】
大ラボ６にＤＰ袋５が持ち込まれると、注文受付工程において注文受付機７にＤＰ袋５の注文ＩＤ４ａとそのＤＰ袋５に記載された注文内容を含む注文情報４とが入力されて、注文受付が行われる（Ｓ．１）。その注文情報４は、図３に示すように写真プリント製品種４ｂ、タイプ４ｃ、注文枚数４ｄ、ロットナンバー４ｅ、ジョブナンバー４ｆ、作業状況４ｇ等からなる注文状況情報４ｈと、写真店コード４ｉ、写真店名４ｊ、写真店連絡先４ｋ、受付コード４ｌ、受付日４ｍ、出荷予定日４ｎ等からなるオーダ情報４ｐとで大略構成されている。この注文情報４は注文ＩＤ４ａと関連付けられて、注文受付機７に接続されたデータベースサーバＤＢに格納される。
【００３０】
ＤＰ袋５からネガ２が取り出され（Ｓ．２）、ＤＰ袋５とネガ２とに同じチェックテープナンバーが記載されたチェックテープが貼り付けられる（Ｓ．３）。
【００３１】
画像データ作成工程において、ＤＰ袋５から取り出されたネガ２上の指定コマの画像読取りがネガスキャナ８によって行われる（Ｓ．４）。それにより、その指定コマ画像（原画像）の画像データ９が生成されて（Ｓ．５）、その画像データ９がネガスキャナ８に接続されたハードディスク１０に保存される。
【００３２】
ポストカードの作成においては、顧客１によって指定されたテンプレート画像と画像データ９とが画像合成されてポストカード用の合成画像データ９ａが作成され（Ｓ．６）、合成画像データ９ａもハードディスク１０に保存される。
【００３３】
この画像データ９、合成画像データ９ａには、照合情報付与工程において、照合情報付与手段として機能するコンピュータ１１により照合情報が埋め込まれる。具体的には、コンピュータ１１内に格納されている電子透かし付与プログラムにより、画像データ９、合成画像データ９ａの画像内に電子透かしにより１３桁の注文ＩＤ４ａが埋め込まれる（Ｓ．７及びＳ．８）。この電子透かしは、例えばごく僅かな輝度や色の差分情報を用いて、画像データ９、合成画像データ９ａ内に肉眼で認識不可能に注文ＩＤ４ａを埋め込む方式であるが、その詳細は省略する。
【００３４】
次に写真プリント作成工程において、電子透かしにより注文ＩＤ４ａが埋め込まれた画像データ９に基づきつつ、ハードディスク１０に接続された焼増し用プリンタ１２によって焼増しプリント１３が作成される（Ｓ．９）。この焼増しプリント１３の表面に形成された画像内には、注文ＩＤ４ａが肉眼で認識不可能に埋め込まれている。
【００３５】
また、電子透かしにより注文ＩＤ４ａが埋め込まれた画像データ９ａに基づきつつ、ハードディスク１０に接続されたポストカード用プリンタ１４によってポストカードプリント１５が作成される（Ｓ．１０）。このポストカードプリント１５の表面に形成された画像内には、注文ＩＤ４ａが肉眼で認識不可能に埋め込まれている。
【００３６】
焼増しプリント１３とポストカード１５とが作成され、写真プリント作成工程が終了したら、照合工程において照合が行われる。この照合工程においては、ＤＰ袋５、ネガ２、写真プリントとしての焼増しプリント１３、ポストカード１５のそれぞれの照合を行って、その写真プリントの納品先を確認する。
【００３７】
ＤＰ袋５と写真プリント（焼増しプリント１３・ポストカード１５）との照合は、図４に示すプリント画像読取手段１６を用いて以下のようにして行う。このプリント画像読取手段１６は、図に示すように読取台１７、照明装置１８、撮像装置１９、撮像装置１９に接続されたコンピュータ２０で大略構成されている。
【００３８】
このプリント画像読取手段１６の読取台１７上に、表面を撮像装置１９の方に向けて焼増しプリント１３を載せ、照明装置１８によって照明し、撮像装置１９によって焼増しプリント１３の画像読取を行う（Ｓ．１１）。読み取られた焼増しプリント１３の画像からデジタル画像データが生成されてコンピュータ２０に送られる。コンピュータ２０は表示部２０ａを有するとともに、その内部に格納された電子透かし読取プログラムによって照合情報抽出手段として機能する。そのコンピュータ２０によって、写真プリントのデジタル画像データから画像内に電子透かしにより埋め込まれた照合情報としての注文ＩＤ４ａが抽出される（Ｓ．１２）。
【００３９】
図５にコンピュータ２０によって注文ＩＤ４ａが抽出されたときの、表示部２０ａの表示画面例を示す。表示部２０ａにはプリント画像読取手段１６によって読み取られた焼増しプリント１３の画像１３ａと、その画像１３ａから抽出された注文ＩＤ４ａが表示される。また、抽出された注文ＩＤ４ａに関連付けられた注文情報４（４ｈ，４ｐ）も、データベースサーバＤＢから読み出されて表示部２０ａに表示される。
【００４０】
この表示部２０ａに表示された焼増しプリント１３の注文ＩＤ４ａとＤＰ袋５に印刷されている注文ＩＤ４ａとを照合する（Ｓ．１３）。両者の注文ＩＤ４ａが一致している場合、その焼増しプリント１３はそのＤＰ袋５に記載された注文内容に基づいて作成されたものであるので、その納品先を確認することができる。
【００４１】
次に、このプリント画像読取手段１６の読取台１７上に、表面を撮像装置１９の方に向けてポストカード１５を載せて、撮像装置１９によってポストカード１５の画像読取を行う（Ｓ．１１）。ポストカード１５の表面の画像から注文ＩＤ４ａを抽出し（Ｓ．１２）、その注文ＩＤ４ａとＤＰ袋５に印刷されている注文ＩＤ４ａとの照合を行うが（Ｓ．１３）、照合工程における手順は焼増しプリント１３の場合と略同様であるので詳細は省略する。
【００４２】
ポストカード１５表面の画像から抽出された注文ＩＤ４ａとＤＰ袋５に印刷されている注文ＩＤ４ａとを照合し、両者の注文ＩＤ４ａが一致している場合、そのポストカード１５はそのＤＰ袋５に記載された注文内容に基づいて作成されたものであるので、その納品先を確認することができる。
【００４３】
ネガ２とＤＰ袋５との照合は、それぞれに貼り付けられたチェックテープのチェックテープナンバーによって行う（Ｓ．１４）。両者に貼り付けられたチェックテープのチェックテープナンバーが一致している場合、そのネガ２はそのＤＰ袋５から取り出されたものであるので、ネガ２をＤＰ袋５の中に入れる。
【００４４】
上記のように、ＤＰ袋５と写真プリントとの照合を注文ＩＤ４ａを用いて行い、ＤＰ袋５とネガ２の照合をチェックテープナンバーを用いて行い、照合工程が完了したら、出荷工程においてＤＰ袋５の中にネガ２、焼増しプリント１３、ポストカード１５を入れて、そのＤＰ袋５を納品先としての写真店３に向けて出荷する（Ｓ．１５）。
【００４５】
写真プリントとしての焼増しプリント１３、ポストカード１５の表面に形成された画像内に電子透かしにより注文ＩＤ４ａが埋め込まれているので、写真プリント自体により注文ＩＤ４ａを確認することができる。したがって、照合が簡便でかつ確実となり、照合ミスを防止することができる。
【００４６】
写真プリント自体から直接に注文ＩＤ４ａを確認することができるので、複数種の写真プリント作成工程を同時並行的に行った場合であっても、ＤＰ袋５と写真プリントとの照合工程を確実に行うことができる。
【００４７】
その注文ＩＤ４ａは肉眼で認識不可能であるので写真プリントとしての商品価値を低下させることもなく、また、表面画像内に埋め込まれているので、裏面にハガキが貼り付けられたポストカード１５の場合であっても注文ＩＤ４ａが確認できなくなるようなこともない。
【００４８】
なお、上記実施の形態においては、顧客１が写真店３を通じて写真プリントサービスの注文を行っているが、もちろん写真店３を介することなく納品先としての顧客１が直接大ラボ６にネガ２を持ち込んで写真プリントサービスを注文してもよい。その場合は、大ラボ６においてＤＰ袋５への注文内容４の記載が行われる。その際、本実施の形態において説明したように、現像済みのネガ２を持ち込んで行う注文に限られず、撮影済みでかつ未現像のネガを持ち込んで行ういわゆる同時プリント注文であってもよい。その場合大ラボ６では、注文受付機７による注文受付を行った後ネガスキャナ８によるネガスキャンを行う前に、図示しないネガ現像機によるネガ現像が行われる。
【００４９】
注文内容としても、もちろん焼増し・ポストカードの作成に限られるものではなく、シールプリント作成・写真入りテレフォンカード作成・写真入りマグカップ作成等の写真プリントサービスの注文であってもよい。
【００５０】
また、上記実施の形態では、顧客１がネガ２を持ち込んだ場合を説明しているが、顧客１がデジタルカメラで撮影した撮影画像データを、フレキシブルディスク・ＣＤ−Ｒ・フラッシュメモリ等の記録媒体に記録して写真店３や大ラボ６に持ち込んでもよい。さらに、大ラボ６に写真注文を受け付けるためのサーバが設置されている場合には、顧客１が自宅のパーソナルコンピュータ等からインターネット等のデータ通信網を介して直接大ラボ６の注文受付サーバに撮影画像データを送信してもよい。
【００５１】
写真プリントに埋め込む注文ＩＤ４ａを、写真プリント作成工程における写真プリント種ごとに異なるものとして、それぞれの工程における進度状況を管理するようにしてもよい。
【００５２】
例えば焼増しプリント作成工程では１３桁の注文ＩＤの末尾に「−１」を加え、ポストカード作成工程では１３桁の注文ＩＤの末尾に「−２」を加える。照合情報付与工程・写真プリント作成工程・照合工程・出荷工程等の各工程において、それぞれの工程が完了するごとに注文ＩＤ４ａを抽出してコンピュータ１１に入力する。それにより、それぞれの作成写真プリント種が現在どの工程まで進んでいるかを把握して各写真プリント作成の進度状況を管理することができる。
【００５３】
肉眼で認識不可能に焼増しプリント１３やポストカード１５の表面画像に注文ＩＤ４ａを付与する方式として、上記実施の形態では電子透かしを用いているが、これに限られるものではなく、例えばＵＶ（紫外線）インク等を用いてもよい。このＵＶインクは、可視光波長域においては透明で認識不可能であるが、紫外線を照射すると特定波長の可視光を発して認識可能となるものである。
【００５４】
このＵＶインクを用いて写真プリントの表面画像上に注文ＩＤ４ａを印刷しておき、プリント画像読取手段１６の照明装置１８として紫外線照射装置を用いることにより、通常は透明であって肉眼で認識不可能な注文ＩＤ４ａを、写真プリントの表面から抽出することができる。
【００５５】
なお、ネガ２とＤＰ袋５との照合を、写真店３への出荷直前の照合工程において行っているが、もちろんネガスキャナ８によるネガスキャンの直後にネガ２とＤＰ袋５との照合を先に行って、ネガ２をＤＰ袋５内に挿入しておいてから後の工程を行うものであってもよい。
【００５６】
［変形例］
照合工程において図示しない照合手段を用い、その照合手段がＤＰ袋５に印刷されている注文ＩＤ４ａを読み取って、コンピュータ２０によって抽出された注文ＩＤ４ａに基づいて自動的に写真プリント（焼増しプリント１３及びポストカード１５）とＤＰ袋５との照合を行い、写真プリントの注文ＩＤ４ａと一致する注文ＩＤ４ａが印刷されたＤＰ袋５の中にその写真プリントを自動的に挿入して納品先ごとに仕分けるようになっていてもよい。そのように構成することにより、照合工程がより簡便で確実なものとなり、効率的なものとなる。
【００５７】
【発明の効果】
以上説明したように、本願の請求項１に係る発明によれば、照合情報が写真プリント表面に付与されているので、裏面にハガキを貼り付けるポストカードのような写真プリント製品の場合であっても、照合情報が確認できなくなることはない。また、その照合情報は画像内に肉眼で認識不可能に付与されているので、写真プリントとしての商品価値を低下させることもない。照合情報が写真プリント自体に付与されているので、写真プリント自体から直接納品先を確認することができ、納品先の確認を容易かつ確実なものとすることができるという効果を得ることができる。
【００５８】
請求項４に係る発明によれば、照合情報が写真プリント自体に付与されており、その写真プリントの画像を読み取ってその読取画像から照合情報を抽出するので、請求項１に係る発明の効果に加え、写真プリント自体から簡便に納品先を確認することができるという効果も得ることができる。
【００５９】
請求項７に係る発明によれば、抽出された照合情報に基づいて、写真プリントの納品先を確認して納品先ごとに仕分ける照合手段とを備えているので、請求項４に係る発明の効果に加え、写真プリント自体からさらに簡便に納品先を確認することができ、その納品先に応じて自動的に写真プリントを仕分けることができるという効果も得ることができる。
【００６０】
請求項２，５，８に係る発明によれば、照合情報が電子透かしによって前記プリント画像内に埋め込まれたものであるので、その照合情報は、経時変化・改ざん・変形等に対して信頼性が高く、情報の隠蔽性（すなわち認識不可能な程度）も高いものとなっている。写真プリント表面の画像からの照合情報の抽出も、確実かつ簡便である。
【００６１】
請求項３，６，９に係る発明によれば、照合情報が、写真注文を管理するために写真注文１件ごとに対応して付与された注文ＩＤであるので、写真注文の管理が容易となり、写真プリント作成における照合が確実かつ容易なものとなる。
【図面の簡単な説明】
【図１】本発明の実施の形態に係る写真の照合方法を用いた写真プリントサービスの工程を説明するブロック図である。
【図２】本発明の実施の形態に係る写真の照合方法を用いた写真プリントサービスの工程を説明するフローチャートである。
【図３】注文ＩＤに関連付けられたデータベースとしての注文情報を説明する図である。
【図４】プリント画像読取手段の概略構成を示す図である。
【図５】注文ＩＤが抽出された際のプリント画像読取手段の一部としてのコンピュータの表示部の表示画面例を示す図である。
【符号の説明】
１：顧客
３：写真店
４：注文情報
４ａ：注文ＩＤ（注文管理番号）
５：ＤＰ袋
６：大ラボ（写真現像所）
９：画像データ
９ａ：合成画像データ
１２：焼増し用プリンタ
１３：焼増しプリント
１３ａ：画像
１４：ポストカード用プリンタ
１５：ポストカード
１６：プリント画像読取手段
２０：コンピュータ
【図１】
2004126978.tif 000003
【図２】
2004126978.tif 000004
【図３】
2004126978.tif 000005
【図４】
2004126978.tif 000006
【図５】
2004126978.tif 000007